(57)【要約】自動利得制御（ＡＧＣ）回路（１０５）、受信器、アナログデジタル変換器（ＡＤＣ）（１１５）、および挿入位相変動補償モジュール（１２０）を含む通信システム（１００）。ＡＧＣ回路は、通信信号（１５０）を受信および増幅する。ＡＧＣ回路の利得が調節される。ＡＧＣ回路は、増幅した信号（１４５）を受信器に出力し、受信器（１４５）は、アナログ複素信号をＡＤＣ（１１５）に出力する。ＡＤＣは、デジタル複素信号を挿入位相変動補償モジュール（１２０）に出力し、挿入位相変動補償モジュール（１２０）は、ＡＧＣ回路に関連する連続的利得調節のために通信信号に導入された位相偏位の効果を打ち消す。
2006527535.tif 000002
【特許請求の範囲】
【請求項１】
（ａ）通信信号の利得を受信および調節する自動利得制御（ＡＧＣ）回路であって、利得制御信号によって調節されるＡＧＣ回路と、
（ｂ）前記利得制御信号に基づいて、前記ＡＧＣ回路によって前記通信信号に導入される位相偏位の効果を継続的に打ち消す挿入位相変動補償モジュールと
を備えることを特徴とする通信システム。
【請求項２】
（ｃ）前記ＡＧＣ回路から前記通信信号を受け取り、アナログ同相（Ｉ）信号成分および直交（Ｑ）信号成分を出力する受信器と、
（ｄ）前記アナログＩ信号成分およびＱ信号成分を受け取ってデジタルＩ信号成分およびＱ信号成分に変換するアナログデジタル変換器（ＡＤＣ）と
をさらに備えることを特徴とする請求項１に記載の通信システム。
【請求項３】
前記挿入位相変動補償モジュールは、前記ＡＤＣから前記デジタルＩ信号成分およびＱ信号成分を受け取り、前記デジタルＩ成分およびＱ成分とは異なる位相特性を有する変更されたＩ信号成分およびＱ信号成分を出力し、
（ｅ）前記変更されたＩ信号成分およびＱ信号成分を受け取るモデムであって、前記利得制御信号を生成するプロセッサを含むモデム
をさらに備えることを特徴とする請求項２に記載の通信システム。
【請求項４】
前記プロセッサは、どれほどのパワーが前記ＡＤＣに入力されるかを計算することを特徴とする請求項３に記載の通信システム。
【請求項５】
前記挿入位相変動補償モジュールは、前記ＡＤＣから前記デジタルＩ成分およびＱ成分を受け取り、前記利得制御信号の関数として前記デジタルＩ成分およびＱ成分の位相特性を変更することを特徴とする請求項２に記載の通信システム。
【請求項６】
（ｃ）前記利得制御信号を生成するプロセッサと、
（ｄ）前記プロセッサおよび前記挿入位相変動補償モジュールと通信するルックアップテーブル（ＬＵＴ）であって、前記プロセッサから前記利得制御信号を受け取り、前記利得制御信号の関数として前記挿入位相変動補償モジュールに前記位相偏位の推定を供給するＬＵＴと
をさらに備えることを特徴とする請求項１に記載の通信システム。
【請求項７】
前記供給される推定は、位相偏位ｘのＳｉｎ関数およびＣｏｓ関数を含むことを特徴とする請求項６に記載の通信システム。
【請求項８】
前記挿入位相変動補償モジュールは、デジタル同相（Ｉ）信号成分に関連する実数のＲｅ入力と、直交（Ｑ）信号成分に関連する虚数のＩｍ入力とを有し、前記ＬＵＴによって供給される前記推定に基づいて、前記挿入位相変動補償モジュールは、関数（Ｃｏｓ（ｘ）×Ｒｅ）−（Ｓｉｎ（ｘ）×Ｉｍ）に従って調節される位相を有するＩ信号成分を出力することを特徴とする請求項７に記載の通信システム。
【請求項９】
前記挿入位相変動補償モジュールは、デジタル同相（Ｉ）信号成分に関連する実数入力Ｒｅと、直交（Ｑ）信号成分に関連する虚数入力Ｉｍとを有し、前記ＬＵＴによって供給される前記推定に基づいて、前記挿入位相変動補償モジュールは、関数（Ｓｉｎ（ｘ）×Ｒｅ）＋（Ｃｏｓ（ｘ）×Ｉｍ）に従って調節される位相を有するＱ信号成分を出力することを特徴とする請求項７に記載の通信システム。
【請求項１０】
（ａ）通信信号の利得を受信および調節する自動利得制御（ＡＧＣ）回路であって、利得制御信号によって調節されるＡＧＣ回路と、
（ｂ）前記利得制御信号に基づいて、前記ＡＧＣ回路によって前記通信信号に導入される位相偏位の効果を継続的に打ち消す挿入位相変動補償モジュールと
を備えることを特徴とするワイヤレス送信／受信ユニット（ＷＴＲＵ）。
【請求項１１】
（ｃ）前記ＡＧＣ回路から前記通信信号を受け取り、アナログ同相（Ｉ）信号成分および直交（Ｑ）信号成分を出力する受信器と、
（ｄ）前記アナログＩ信号成分およびＱ信号成分を受け取ってデジタルＩ信号成分およびＱ信号成分に変換するアナログデジタル変換器（ＡＤＣ）と
をさらに備えることを特徴とする請求項１０に記載のＷＴＲＵ。
【請求項１２】
前記挿入位相変動補償モジュールは、前記ＡＤＣから前記デジタルＩ信号成分およびＱ信号成分を受け取り、前記デジタルＩ成分およびＱ成分とは異なる位相特性を有する変更されたＩ信号成分およびＱ信号成分を出力し、
（ｅ）前記変更されたＩ信号成分およびＱ信号成分を受け取るモデムであって、前記利得制御信号を生成するプロセッサを含むモデム
をさらに備えることを特徴とする請求項１１に記載のＷＴＲＵ。
【請求項１３】
前記プロセッサは、どれほどのパワーが前記ＡＤＣに入力されるかを計算することを特徴とする請求項１２に記載のＷＴＲＵ。
【請求項１４】
前記挿入位相変動補償モジュールは、前記ＡＤＣから前記デジタルＩ成分およびＱ成分を受け取り、前記利得制御信号の関数として前記デジタルＩ成分およびＱ成分の位相特性を変更することを特徴とする請求項１１に記載のＷＴＲＵ。
【請求項１５】
（ｃ）前記利得制御信号を生成するプロセッサと、
（ｄ）前記プロセッサおよび前記挿入位相変動補償モジュールと通信するルックアップテーブル（ＬＵＴ）であって、前記プロセッサから前記利得制御信号を受け取り、前記利得制御信号の関数として前記挿入位相変動補償モジュールに前記位相偏位の推定を供給するＬＵＴと
をさらに備えることを特徴とする請求項１０に記載のＷＴＲＵ。
【請求項１６】
前記供給される推定は、位相偏位ｘのＳｉｎ関数およびＣｏｓ関数を含むことを特徴とする請求項１５に記載のＷＴＲＵ。
【請求項１７】
前記挿入位相変動補償モジュールは、デジタル同相（Ｉ）信号成分に関連する実数のＲｅ入力と、直交（Ｑ）信号成分に関連する虚数のＩｍ入力とを有し、前記ＬＵＴによって供給される前記推定に基づいて、前記挿入位相変動補償モジュールは、関数（Ｃｏｓ（ｘ）×Ｒｅ）−（Ｓｉｎ（ｘ）×Ｉｍ）に従って調節される位相を有するＩ信号成分を出力することを特徴とする請求項１６に記載のＷＴＲＵ。
【請求項１８】
前記挿入位相変動補償モジュールは、デジタル同相（Ｉ）信号成分に関連する実数入力Ｒｅと、直交（Ｑ）信号成分に関連する虚数入力Ｉｍとを有し、前記ＬＵＴによって供給される前記推定に基づいて、前記挿入位相変動補償モジュールは、関数（Ｓｉｎ（ｘ）×Ｒｅ）＋（Ｃｏｓ（ｘ）×Ｉｍ）に従って調節される位相を有するＱ信号成分を出力することを特徴とする請求項１６に記載のＷＴＲＵ。
【請求項１９】
（ａ）通信信号の利得を受信および調節する自動利得制御（ＡＧＣ）回路であって、利得制御信号によって調節されるＡＧＣ回路と、
（ｂ）前記利得制御信号に基づいて、前記ＡＧＣ回路によって前記通信信号に導入される位相偏位の効果を継続的に打ち消す挿入位相変動補償モジュールと
を備えることを特徴とする集積回路（ＩＣ）。
【請求項２０】
（ｃ）前記ＡＧＣ回路から前記通信信号を受け取り、アナログ同相（Ｉ）信号成分および直交（Ｑ）信号成分を出力する受信器と、
（ｄ）前記アナログＩ信号成分およびＱ信号成分を受け取ってデジタルＩ信号成分およびＱ信号成分に変換するアナログデジタル変換器（ＡＤＣ）と
をさらに備えることを特徴とする請求項１９に記載のＩＣ。
【請求項２１】
前記挿入位相変動補償モジュールは、前記ＡＤＣから前記デジタルＩ信号成分およびＱ信号成分を受け取り、前記デジタルＩ成分およびＱ成分とは異なる位相特性を有する変更されたＩ信号成分およびＱ信号成分を出力し、
前記ＷＴＲＵは、
（ｅ）前記変更されたＩ信号成分およびＱ信号成分を受け取るモデムであって、前記利得制御信号を生成するプロセッサを含むモデム
をさらに備えることを特徴とする請求項２０に記載のＩＣ。
【請求項２２】
前記プロセッサは、どれほどのパワーが前記ＡＤＣに入力されるかを計算することを特徴とする請求項２１に記載のＩＣ。
【請求項２３】
前記挿入位相変動補償モジュールは、前記ＡＤＣから前記デジタルＩ成分およびＱ成分を受け取り、前記利得制御信号の関数として前記デジタルＩ成分およびＱ成分の位相特性を変更することを特徴とする請求項２０に記載のＩＣ。
【請求項２４】
（ｃ）前記利得制御信号を生成するプロセッサと、
（ｄ）前記プロセッサおよび前記挿入位相変動補償モジュールと通信するルックアップテーブル（ＬＵＴ）であって、前記プロセッサから前記利得制御信号を受け取り、前記利得制御信号の関数として前記挿入位相変動補償モジュールに前記位相偏位の推定を供給するＬＵＴと
をさらに備えることを特徴とする請求項１９に記載のＩＣ。
【請求項２５】
前記供給される推定は、位相偏位ｘのＳｉｎ関数およびＣｏｓ関数を含むことを特徴とする請求項２４に記載のＩＣ。
【請求項２６】
前記挿入位相変動補償モジュールは、デジタル同相（Ｉ）信号成分に関連する実数のＲｅ入力と、直交（Ｑ）信号成分に関連する虚数のＩｍ入力とを有し、前記ＬＵＴによって供給される前記推定に基づいて、前記挿入位相変動補償モジュールは、関数（Ｃｏｓ（ｘ）×Ｒｅ）−（Ｓｉｎ（ｘ）×Ｉｍ）に従って調節される位相を有するＩ信号成分を出力することを特徴とする請求項２５に記載のＩＣ。
【請求項２７】
前記挿入位相変動補償モジュールは、デジタル同相（Ｉ）信号成分に関連する実数入力Ｒｅと、直交（Ｑ）信号成分に関連する虚数入力Ｉｍとを有し、前記ＬＵＴによって供給される前記推定に基づいて、前記挿入位相変動補償モジュールは、関数（Ｓｉｎ（ｘ）×Ｒｅ）＋（Ｃｏｓ（ｘ）×Ｉｍ）に従って調節される位相を有するＱ信号成分を出力することを特徴とする請求項２５に記載のＩＣ。
【請求項２８】
自動利得制御（ＡＧＣ）回路および挿入位相変動補償モジュールを含む通信システムにおいて、前記ＡＧＣ回路によって通信信号に導入される位相偏位の効果を継続的に打ち消す方法であって、
（ａ）前記ＡＧＣ回路に利得制御信号を供給すること、
（ｂ）前記ＡＧＣ回路が、前記利得制御信号に応答して通信信号の利得を受信および調節し、前記調節により、位相偏位が前記通信信号に導入されること、
（ｃ）前記利得制御信号の関数として前記挿入位相変動補償モジュールに前記位相偏位の推定を供給すること、
（ｄ）前記挿入位相変動補償モジュールが、前記供給される推定に基づいて前記通信信号の位相を調節すること、および
（ｅ）ステップ（ａ）〜（ｄ）を反復すること
を含むことを特徴とする方法。
【請求項２９】
前記供給された推定は、位相偏位ｘのＳｉｎ関数およびＣｏｓ関数を含むことを特徴とする請求項２８に記載の方法。
【請求項３０】
前記挿入位相変動補償モジュールは、デジタル同相（Ｉ）信号成分に関連する実数のＲｅ入力と、直交（Ｑ）信号成分に関連する虚数のＩｍ入力とを有し、前記ＬＵＴによって供給される前記推定に基づいて、前記挿入位相変動補償モジュールは、関数（Ｃｏｓ（ｘ）×Ｒｅ）−（Ｓｉｎ（ｘ）×Ｉｍ）に従って調節される位相を有するＩ信号成分を出力することを特徴とする請求項２９に記載の方法。
【請求項３１】
前記挿入位相変動補償モジュールは、デジタル同相（Ｉ）信号成分に関連する実数入力Ｒｅと、直交（Ｑ）信号成分に関連する虚数入力Ｉｍとを有し、前記ＬＵＴによって供給される前記推定に基づいて、前記挿入位相変動補償モジュールは、関数（Ｓｉｎ（ｘ）×Ｒｅ）＋（Ｃｏｓ（ｘ）×Ｉｍ）に従って調節される位相を有するＱ信号成分を出力することを特徴とする請求項２９に記載の方法。
【発明の詳細な説明】
【技術分野】
【０００１】
本発明は一般にワイヤレス通信システムに関する。より詳細には、本発明は、自動利得制御（ＡＧＣ）調節に関連する位相変動を補償するのに使用されるデジタル信号処理（ＤＳＰ）技法に関する。
【背景技術】
【０００２】
従来の位相感知通信システムでは、受信器が自動利得制御（ＡＧＣ）を使用して、無線周波数（ＲＦ）および／または中間周波数（ＩＦ）通信信号の振幅に応じて自動的に利得を調節する。ＡＧＣによって生成される実数値利得因子が通信信号に適用される。アナログ領域では、通信信号の振幅が、事前定義された信号振幅範囲内に維持され、次いで、信号振幅範囲を制限するアナログデジタル変換器（ＡＤＣ）によってデジタル信号に変換される。ＡＧＣの目的は、ＡＤＣへの入力で一定の出力レベルを維持することである。
【発明の開示】
【発明が解決しようとする課題】
【０００３】
ＡＧＣを調節するとき、通信信号に位相偏位が導入され、位相感知通信システムの性能が低下する。ＡＧＣを調節することによって引き起こされる通信信号の位相偏位を打ち消す方法およびシステムが求められている。
【課題を解決するための手段】
【０００４】
本発明は、ＡＧＣ回路、受信器、アナログデジタル変換器（ＡＤＣ）、および挿入位相変動補償モジュールを含む通信システムに組み込まれる。ＡＧＣ回路は、通信信号を受信および増幅する。ＡＧＣ回路の利得が連続的に調節される。ＡＧＣ回路は、増幅した通信信号を受信器に出力し、受信器は、アナログ複素信号をＡＤＣに出力する。ＡＤＣは、デジタル複素信号を挿入位相変動補償モジュールに出力し、挿入位相変動補償モジュールは、ＡＧＣ回路に関連する連続的利得調節のために通信信号に導入された位相偏位の効果を打ち消す。アナログおよびデジタル複素信号は、同相（Ｉ）信号成分および直交（Ｑ）信号成分を含む。
【０００５】
利得制御信号に応答して、ＡＧＣ回路の利得が継続的に調節される。位相偏位の推定が、利得制御信号の関数として挿入位相変動補償モジュールに供給される。
【０００６】
挿入位相変動補償モジュールは、ＡＤＣからデジタルＩ信号成分およびＱ信号成分を受け取り、デジタルＩ信号成分およびＱ信号成分とは異なる位相特性を有する変更されたＩ信号成分およびＱ信号成分を出力する。通信システムは、変更されたＩ信号成分およびＱ信号成分を受け取るモデムをさらに含む。モデムは、利得制御信号を生成するプロセッサを含むことができる。プロセッサは、どれほどのパワーがＡＤＣに入力されるかを計算することができる。
【０００７】
通信システムは、プロセッサおよび挿入位相変動補償モジュールと通信するルックアップテーブル（ＬＵＴ）をさらに含むことができる。ＬＵＴは、プロセッサから利得制御信号を受け取ることができ、利得制御信号の関数として位相偏位の推定を挿入位相変動補償モジュールに供給することができる。供給される推定は、位相偏位ｘのＳｉｎ関数およびＣｏｓ関数を含むことができる。挿入位相変動補償モジュールは、デジタルＩ信号成分に関連する実数のＲｅ入力と、Ｑ信号成分に関連する虚数のＩｍ入力とを有することができ、ＬＵＴによって与えられる推定に基づいて、挿入位相変動補償モジュールは、関数（Ｃｏｓ（ｘ）×Ｒｅ）−（Ｓｉｎ（ｘ）×Ｉｍ）に従って調節される位相を有するＩ信号成分と、関数（Ｓｉｎ（ｘ）×Ｒｅ）＋（Ｃｏｓ（ｘ）×Ｉｍ）に従って調節される位相を有するＱ信号成分とを出力することができる。
【発明を実施するための最良の形態】
【０００８】
例示によって与えられ、添付の図面と一緒に理解すべきである以下の好ましい例の説明から、本発明のより詳細な理解を得ることができる。
【０００９】
本発明は、ＡＧＣ調節を実施することによってＲＦまたはＩＦ通信信号（すなわちデータストリーム）に導入される位相差を打ち消す方法およびシステムを提供する。
【００１０】
好ましくは、本明細書で開示される方法およびシステムが、ワイヤレス送信／受信ユニット（ＷＴＲＵ）に組み込まれる。以下では、ワイヤレス送信／受信ユニット（ＷＴＲＵ）は、限定はしないが、ユーザ装置、移動局、固定または移動加入者ユニット、ページャ、またはワイヤレス環境で動作することのできるその他の任意の種類の装置を含む。本発明の機能は、集積回路（ＩＣ）に組み込むことができ、または多数の相互接続構成要素を備える回路内に構成することができる。
【００１１】
本発明は、時分割複信（ＴＤＤ）、周波数分割複信（ＦＤＤ）、符号分割多重接続（ＣＤＭＡ）、ＣＤＭＡ２０００、時分割同期ＣＤＭＡ（ＴＤＳＣＤＭＡ）、直交周波数分割多重方式（ＯＦＤＭ）などを使用する通信システムに適用可能である。
【００１２】
図１は、本発明に従って動作する通信システム１００のブロック図である。通信システム１００は、ＡＧＣ回路１０５、受信器１１０、アナログデジタル変換器（ＡＤＣ）１１５、挿入位相変動補償モジュール１２０、およびモデム１２５を含む。ＡＧＣ回路１０５およびＡＤＣ１１５は受信器１１０に組み込むことができる。ＡＧＣ回路１０５は、単一増幅段または多重増幅段を含むことができる。さらに、挿入位相変動補償モジュール１２０はモデム１２５に組み込むことができる。
【００１３】
モデム１２５は、どれほどのパワーがＡＤＣ１１５に入力されるかを計算するプロセッサ１３０を含む。モデム１２５は、挿入位相変動補償モジュール１２０から複素Ｉ信号成分およびＱ信号成分１３５、１４０を受け取り、プロセッサ１３０を介して利得制御信号１４５をＡＧＣ回路１０５に出力する。利得制御信号１４５は、ＲＦおよび／またはＩＦ通信信号１５０の振幅を設定するためにＡＧＣ回路１０５によって使用される利得因子を含む。利得制御信号１４５はまた、プロセッサ１３０からルックアップテーブル（ＬＵＴ）１５５にも出力され、ルックアップテーブル（ＬＵＴ）１５５は、利得制御信号１４５を使用して、通信信号１５０に導入される位相偏位の推定を挿入位相変動補償モジュール１２０に供給する。あるいは、ＬＵＴ１５５の代わりに、事前定義された多項式またはその他の任意の方法を使用して位相偏位の推定を供給することもできる。
【００１４】
ＡＧＣ回路１０５の増幅段の利得レベルが変化する度に、関連する位相偏位、すなわち位相回転が通信信号１５０に導入される可能性がある。したがって、ＬＵＴ１５５にアクセスすることにより、事前定義された多項式により、またはＡＧＣ回路１０５に関連するＡＧＣ値の全範囲を位相偏位推定に対応付けることのできるその他の任意の方法により、ＡＧＣ回路１０５によって与えられる利得に応じた位相偏位（ｘ）の推定を継続的に求めることができる。
【００１５】
図２に、利得制御信号１４５に基づいて、ＡＤＣ１１５から出力されるデジタル複素信号のＩ信号成分およびＱ信号成分の位相特性を回転し、それによってＡＧＣ回路１０５によって通信信号１５０に導入される位相偏位の効果を打ち消す挿入位相変動補償モジュール１２０の例示的構成を示す。したがって、モデム１２５は位相偏位に影響を受けず、通信システム１００の性能は低下しない。異なる利得レベルは、異なる利得オフセットを通信信号１５０に導入する。
【００１６】
図２に示すように、挿入位相変動補償モジュール１２０は、乗算器２０５、２１０、２１５、および２２０、ならびに加算器２２５および２３０を含む。挿入位相変動補償モジュール１２０は、ＡＤＣ１１５から実数（Ｒｅ）Ｉ信号成分２５０および虚数（ｊＩｍ）Ｑ信号成分２６０を受け取り、以下で式１によって記述されるように、信号成分ＲｅおよびｊＩｍの位相をｘ度（ｅｉｘ）回転する。
【００１７】
【数１】
2006527535.tif 000003
【００１８】
実数出力の結果
【００１９】
【数２】
2006527535.tif 000004
【００２０】
は以下の式２によって記述される。
【００２１】
【数３】
2006527535.tif 000005
【００２２】
ｘがゼロに近い場合、以下の式３で記述されるように、Ｃｏｓ（ｘ）＝１．０かつＳｉｎ（ｘ）＝ｘであることに留意されたい。
【００２３】
【数４】
2006527535.tif 000006
【００２４】
虚数出力の結果
【００２５】
【数５】
2006527535.tif 000007
【００２６】
は、以下の式４によって記述される。
【００２７】
【数６】
2006527535.tif 000008
【００２８】
ｘがゼロに近い場合、以下の式５で記述されるように、Ｃｏｓ（ｘ）＝１．０かつＳｉｎ（ｘ）＝ｘであることに留意されたい。
【００２９】
【数７】
2006527535.tif 000009
【００３０】
したがって、式２によって示されるように、ＬＵＴ１５５によって指定されるＣｏｓ（ｘ）関数２８０が乗算器２１５を介して実数信号成分２５０に乗算され、ＬＵＴ１５５によって指定されるＳｉｎ（ｘ）関数２７０が乗算器２１０を介して虚数信号成分２６０に乗算され、それによって乗算器２１５の出力から、乗算器２１０の出力が加算器２２５によって減じられる。さらに、式４に示されるように、ＬＵＴ１５５によって指定されるＳｉｎ（ｘ）関数２７０が乗算器２０５を介して実数信号成分２５０に乗算され、ＬＵＴ１５５によって指定されるＣｏｓ（ｘ）関数２８０が乗算器２２０を介して虚数信号成分２６０に乗算され、それによって乗算器２２０の出力が、乗算器２０５の出力に加算器２３０によって加算される。
【００３１】
図３は、ＡＧＣ回路１０５によって受信される通信信号１５０に導入される位相偏位の効果を継続的に打ち消すように実施されるステップを含むプロセス３００の流れ図である。ステップ３０５では、利得制御信号１４５がＡＧＣ回路１０５に供給される。ステップ３１０では、利得制御信号１４５に応答して、ＡＧＣ回路１０５が通信信号１５０の利得を調節し、その調節により、通信信号１５０に位相偏位が導入される。ステップ３１５では、位相偏位の推定が、利得制御信号１４５の関数として挿入位相変動補償モジュール１２０に供給される。ステップ３２０では、挿入位相変動補償モジュール１２０が、供給された推定に基づいて通信信号１５０の位相を調節する。プロセス３００は継続的に反復される。
【００３２】
好ましい実施形態を参照しながら本発明を具体的に図示し、説明したが、上述の本発明の範囲から逸脱することなく形態および細部の様々な変更を行えることを当業者は理解されよう。
【図面の簡単な説明】
【００３３】
【図１】本発明にかかるＡＧＣ回路によって通信信号に導入される位相偏位を打ち消す挿入位相変動補償モジュールを含む通信システムのブロック図である。
【図２】図１の挿入位相変動補償モジュールの例示的構成図である。
【図３】図１のＡＧＣ回路によって通信信号に導入される位相偏位の効果を継続的に打ち消すように実施されるステップを含むプロセスの流れ図である。
【図１】
2006527535.tif 000010
【図２】
2006527535.tif 000011
【図３】
2006527535.tif 000012
【国際調査報告】
2006527535.tif 000013